(57)【要約】【課題】  施錠状態を外出後に容易に確認すること。【解決手段】  施錠する場合、キーホルダー１００に固定した鍵Ｋをシリンダーの鍵穴に挿入する。この鍵Ｋを鍵穴に差し込んでいくと、ノック軸５１の先端がシリンダーに当り、更に鍵Ｋを押し込むことでノック軸５１が筐体１内に押し込まれる。このノック軸５１は、ノック式ボールペンと同じ原理で動作し、いったん押し込まれたノック軸５１は、鍵Ｋを鍵穴から抜いても筐体１内に押し込まれたままになる。ユーザは、これにより施錠したか否かを外出後でも確認できる。【選択図】      図１
0003118280.tif 000002
【実用新案登録請求の範囲】
【請求項１】
鍵の持ち手部分を内部に収納し固定する収納固定部を有し、その切り込み部を外部に突出させる切欠部を有する筐体と、
この筐体に設けられ、且つ、ノック軸が前記筐体の外部であって前記鍵の切り込み部の側方に突出すると共に、前記ノック軸を一度押すと押し込んだ状態を保ち、もう一度押すと、元に戻る機構からなるノック式機構と、
を備えたことを特徴とするキーホルダー。
【請求項２】
前記筐体には穴が設けられ、この穴に対応する位置に着色部その他のマークが設けられ、且つこのマークは前記ノック軸の移動に連動して位置が変わる構成であることを特徴とする請求項１に記載のキーホルダー。
【請求項３】
筐体から突出したノック軸の周囲に保護筒が設けられ、且つ、この保護筒内に入り得る突起物を有することを特徴とする請求項１又は２に記載のキーホルダー。
【請求項４】
鍵の持ち手部分を内部に収納し固定する収納固定部を有し、その切り込み部を外部に突出させる切欠部を有すると共に、表示用の穴を有する筐体と、
この筐体に設けられ、且つ、押し込み軸が前記筐体の外部であって前記鍵の切り込み部の側方に突出すると共に、押し込まれた前記押し込み軸を元に戻す弾性手段、前記押し込み軸と当接する突起を所定角度で周囲に設けた円板、及び前記円板の前記穴の対応位置に設けた着色部その他のマーク、を含むロータリー式機構と、
を備えたことを特徴とするキーホルダー。
【請求項５】
筐体から突出した押し込み軸の周囲に保護筒が設けられ、且つ、この保護筒内に入り得る突起物を有することを特徴とする請求項４に記載のキーホルダー。
【請求項６】
前記ノック軸又は押し込み軸に被さるカバーを前記筐体に設けたことを特徴とする請求項１，２又は４に記載のキーホルダー。
【考案の詳細な説明】
【技術分野】
【０００１】
この考案は、住宅やマンションの玄関や勝手口のドアやロッカーのドアに用いられる錠の施錠を確認するキーホルダーに関するものである。
【背景技術】
【０００２】
従来のロータリーシリンダーは、シリンダーの鍵穴に鍵を差し込み、所定角度回転させ、その後、鍵を引き抜くことで施錠を行っていた。しかしながら、これが習慣化されてしまうと、施錠しないにも関わらず無意識に施錠したものと思い込んでしまうという問題点があった。特に、高齢者などが住居する住宅などでは、外出先で施錠してきたことが容易に判断できる装置が望まれていた。
【０００３】
また、施錠確認装置を電気などで作動させて確認するもの(特開２００３−１８４３６１号公報)や、錠前ユニットに、施錠確認装置を取り付るもの(特開２０００−２４８７８９号公報)があるが、いずれも複雑な構造で高価であった。
【特許文献１】特開２００３−１８４３６１号公報
【特許文献２】特開２０００−２４８７８９号公報
【考案の開示】
【考案が解決しようとする課題】
【０００４】
そこで、この考案は、上記に鑑みてなされたものであって、施錠状態を外出後に容易に確認することができ且つ簡単な構造にできるキーホルダーを提供することを目的とする。
【課題を解決するための手段】
【０００５】
上述の目的を達成するために、この考案に係るキーホルダーは、鍵の持ち手部分を内部に収納し固定する収納固定部を有し、その切り込み部を外部に突出させる切欠部を有する筐体と、この筐体に設けられ、且つ、ノック軸が前記筐体の外部であって前記鍵の切り込み部の側方に突出すると共に、前記ノック軸を一度押すと押し込んだ状態を保ち、もう一度押すと、元に戻る機構からなるノック式機構と、を備えたことを特徴とする。
【０００６】
また、この考案に係るキーホルダーは、上記キーホルダーにおいて、更に、前記筐体には穴が設けられ、この穴に対応する位置に着色部その他のマークが設けられ、且つこのマークは前記ノック軸の移動に連動して位置が変わる構成であることを特徴とする。
【０００７】
また、この考案に係るキーホルダーは、上記キーホルダーにおいて、更に、筐体から突出したノック軸の周囲に保護筒が設けられ、且つ、この保護筒内に入り得る突起物を有することを特徴とする。
【０００８】
また、この考案に係るキーホルダーは、鍵の持ち手部分を内部に収納し固定する収納固定部を有し、その切り込み部を外部に突出させる切欠部を有すると共に、表示用の穴を有する筐体と、この筐体に設けられ、且つ、押し込み軸が前記筐体の外部であって前記鍵の切り込み部の側方に突出すると共に、押し込まれた前記押し込み軸を元に戻す弾性手段、前記押し込み軸と当接する突起を所定角度で周囲に設けた円板、及び前記円板の前記穴の対応位置に設けた着色部その他のマーク、を含むロータリー式機構と、を備えたことを特徴とする。
【０００９】
また、この考案に係るキーホルダーは、上記キーホルダーにおいて、更に、筐体から突出した押し込み軸の周囲に保護筒が設けられ、且つ、この保護筒内に入り得る突起物を有することを特徴とする。
【００１０】
また、この考案に係るキーホルダーは、上記キーホルダーにおいて、更に、前記ノック軸又は押し込み軸に被さるカバーを前記筐体に設けたことを特徴とする。
【考案の効果】
【００１１】
この考案のキーホルダーによれば、施錠状態を外出後に容易に確認することができ且つ簡単な構造にできる。
【考案を実施するための最良の形態】
【００１２】
以下、この考案につき図面を参照しつつ詳細に説明する。なお、この実施の形態によりこの考案が限定されるものではない。また、以下に示す実施の形態の構成要素には、当業者が置換可能かつ容易なもの、或いは実質的同一のものが含まれる。
【実施例１】
【００１３】
図１は、この考案の実施例１に係るキーホルダーを示す斜視図である。このキーホルダー１００は、鍵Ｋの持ち手部分を筐体１内に固定し、その鍵Ｋの切り込み部Ｋ１が筐体１から突出している。また、鍵Ｋの切り込み部Ｋ１の横には、ノック式の施錠確認機構５０が設けられている。ここでノック式とは、ノック軸５１を一度押すと押し込んだ状態を保ち、もう一度押すと、元に戻る作用を持った方式をいう。筐体１の上面には、施錠状態を示す表示部を構成する穴２が設けられている。このキーホルダー１００は、通常の鍵のほか、ディンプルキーにも用いることができる。
【００１４】
図２は、筐体を展開した状態の上面図、図３は、その下面図、図４は、その側面図である。筐体１は、樹脂製であって射出成形により一体成形される。筐体１の表部３と裏部４はヒンジ部５により結合しており、このヒンジ部５で折り曲げることができる。筐体１の表部３の施錠確認機構が内蔵される部分には、表示部を構成する穴２が設けられている。筐体１の表部３及び裏部４のそれぞれの内側には、鍵Ｋの収納固定枠６が形成されている。収納固定枠６は、出来るだけ多種類の鍵Ｋの持ち手部分を収納できる形状及び大きさに設定するのが好ましい。図２及び３の例では、収納固定枠６は楕円形状となる。また、収納固定枠６の内側には、鍵Ｋの持ち手部分を固定するための、両面テープ７が貼り付けられている。
【００１５】
筐体１の裏部４の内面には、施錠確認機構５０を組み込むための、スリーブ固定用の一対の突起８と、スプリングを支持すると共に移動部材を軸支する突起９とが設けられている。また、図４に示したように、筐体１の鍵Ｋの突出側には、鍵Ｋの切り込み部Ｋ１が位置する部分に切欠部１０が設けられている。更に、その横には、施錠確認機構５０のノック軸５１が通る穴１１が設けられている。
【００１６】
図５は、施錠確認機構の一例を示す構成図である。この施錠確認機構５０は、筐体１から突出して図示しないシリンダーに当接するノック軸５１と、筐体１に対して固定されるスリーブ５２と、軸５３を中心に回転し、太径部分５４の周囲に所定角度で配置された突起５５を有する移動部材５６と、この移動部材５６を押圧するスプリング５７とから構成される。前記ノック軸５１は、図中点線で示すような中空軸状であり、その一方側は、有底フランジ形状であり、他方側は、前記移動部材５６の突起５５に当る複数の山５８を持った形状である。スリーブ５２は、筐体１に対して固定された状態で、更に、軸方向深さが異なる溝５９，６０を有する。浅い溝５９は、谷部が斜めになっている。移動部材５６は、小径部分である軸５３の一方が前記ノック軸５１の中空部分に回転可能に挿入され、他方が筐体１裏部４の突起９に設けた穴に挿入されて回転可能かつ軸方向に移動可能に支持される。また、大径部分５４の突起５５は、スリーブ５２との対向側が斜めに形成されており、スリーブ５２の溝５９，６０とかみ合うようになる。スプリング５７は、突起５５と大径部分５４との間に配置される。
【００１７】
図６は、図１のＡ−Ａ断面図であり、図７は、図１のＢ−Ｂ断面図である。施錠確認機構５０は、図６に示すように、筐体１内部に配置される。具体的には、筐体１の穴１１にノック軸５１が挿入され、移動部材５６の軸５３が突起９の穴に挿入されると共に、スリーブ５２は突起８により挟まれて筐体１内に固定されている。ノック軸５１の一部はマーク６１として着色されており、このマーク６１は、筐体１の穴２と対応する位置にあり、当該穴２から見ることができる。図６は、ノック軸５１が押し込まれていない状態であって、そのときにマーク６１を筐体１の外から穴２を通じて見ることができる。ノック軸５１を押し込んだ状態では、このマーク６１が移動するので、穴２を通じて当該マーク６１が見えなくなる。マーク６１が見えるときを、施錠状態（または施錠していない状態）と、ユーザが自分で決めておく。また、鍵Ｋは、図７に示すように、筐体１の収納固定枠６内に収められ、その持ち手部分が両側から両面テープ７により固定される。両面テープ７は、筐体１の内側に形成された台座１２上に貼り付けられている。また、鍵Ｋを固定した状態で、その切り込み部Ｋ１は、筐体１の切欠部１０を通って外に突出する。
【００１８】
図８は、このキーホルダーの動作を示す説明図である。施錠する場合、キーホルダー１００に固定した鍵ＫをシリンダーＣの鍵穴に挿入する。この状態で、表示部の穴２から見える色は例えば赤である。この鍵Ｋを鍵穴に差し込んでいくと、ノック軸５１の先端がシリンダーＣに当り、更に鍵Ｋを押し込むことでノック軸５１が筐体１内に押し込まれる。このノック軸５１は、ノック式ボールペンと同じ原理で動作し、いったん押し込まれたノック軸５１は、鍵Ｋを鍵穴から抜いても筐体１内に押し込まれたままになる。そのときの表示部の穴２から見える色は白（又は未着色の原材料の色）である。ユーザは、これにより施錠したか否かを確認できる。同図の例では、ノック軸５１が押し込まれ、表示部の色が白のときは、施錠されている。外出したとき、施錠したかどうか確認する際は、このノック軸５１の位置及び／又は表示部の色とを見て判断する。
【００１９】
反対に、開錠する場合、上記と反対の手順で動作させる。即ち、ノック軸５１が押し込まれた状態のキーホルダー１００を持ち、その鍵Ｋの切り込み部Ｋ１をシリンダーＣの鍵穴に挿入する。すると、ノック軸５１がシリンダーＣに当り、ノック軸５１が押し出される。表示部の穴２から見える色は白から赤になる。この状態が開錠されている状態である。また、ノック軸５１が押し出されている場合を施錠とし、ノック軸５１が押し込まれている状態を開錠と決めても良い。
【００２０】
図５を参照して施錠確認機構５０の動作を詳細に述べる。移動部材５６の突起５５は、スプリング５７の作用によりスリーブ５２の浅いほうの溝５９に当接している。この状態でノック軸５１を押すと、その端部の山５８が移動部材５６の突起５５を押し込み、これによりスリーブ５２の溝５９との係合が解かれると共に、前記山５８と前記突起５５の傾斜部とが互いに押し付け合い、図中の矢印方向に移動部材５６が回転する。そして、突起５５がノック軸５１の谷（山５８の間）でその移動を停止し、その状態でノック軸５１を放すと、スプリング５７の作用で移動部材５６が押され、前記突起５５がスリーブ５２の溝５９，６０間の傾斜部に当って若干回転し、続いて深いほうの溝６０に嵌る。これにより、突起５５がノック軸５１の端部を押して、その結果、ノック軸５１が押し出される。
【００２１】
もう一度、ノック軸５１を押すと、突起５５が再びノック軸５１の端部で押し出され、その山５８と突起５５の傾斜部とが押し合いつつ当該突起５５が溝６０の拘束から解放され、移動部材５６が矢印方向に回転する。続いて、ノック軸５１を放したとき、スプリング５７の作用によって、突起５５の傾斜部がスリーブ５２の浅いほうの溝５９の傾斜部に当り、若干回転しながら嵌り込む。この状態でノック軸５１は、押し込まれた状態を保持する。以上説明した施錠確認機構５０は、ボールペンなどに採用されるノック式の機構の一例であり、同様の作用を有するものであれば一般的に知られた別の構造であってもよい。
【００２２】
以上、この考案のキーホルダー１００によれば、ノック軸５１が押し込まれているか否かを見ることで、施錠されているかどうかを容易に確認できる。また、構造もノック式の機構を用いたので、簡易である。特に、外出して乗り物に乗った後や、長時間たってからでも施錠の確認をすることができる。また、電池などを使用しないので、消耗費用などが掛からず、軽量で持ち運びがしやすい。
【００２３】
また、キーホルダー１００を携帯している際、ノック軸５１が誤って押されないようにするため、図９に示すように、ノック軸５１の周りに保護筒６２を設けても良い。また、この保護筒６２を用いる場合は、シリンダーＣ側に、図１０に示すような突起物６３を貼り付ける。この突起物６３は、保護筒６２の内径より小さな径を有する円柱突起である。キーホルダー１００を持って鍵Ｋの切り込み部Ｋ１を鍵穴Ｃ１に挿入するとき、この突起物６３が保護筒６２内に入ってノック軸５１を必要位置までしっかりと押し込む。これにより、ノック軸５１は押し込んだ状態を保持する。また、再び鍵Ｋを鍵穴Ｃ１に差し込むと、ノック軸５１がこの突起物６３に押されて、元の位置に戻る。
【００２４】
なお、この保護筒６２の高さは、ノック軸５１が押し込まれている状態でそのノック軸５１頭部が外に出ないほどの高さとするのが好ましい。或いは、ノック軸５１の頭部が出る状態でも、その突出量がノック軸５１が作動する押し込み量より小さければ、問題ない。
【実施例２】
【００２５】
図１１は、この考案の実施例２に係るキーホルダーを示す斜視図である。図１２は、この考案の実施例２に係るキーホルダーを示す構成図である。このキーホルダー２００は、内部構造がロータリー式の施錠確認機構２５０を有する。筐体２５１は、実施例１と同様に樹脂一体成形されており、また、筐体２５１内部に実施例１と同様の収容枠（図示省略）を備える。鍵Ｋは、持ち手部分Ｋ２が両面テープで筐体２５１内において固定される（いずれも図示省略）
【００２６】
ロータリー式の施錠確認機構２５０は、中央に回転式の円板２５２が配置され、この円板２５２の表面には異なる色のマーク２５３が９０度間隔で設けられている。円板２５２は軸２５４を中心に回転する。また、そのマーク２５３の位置に合わせて円板２５３の周縁に略直角三角形の突起２５５が設けられている。その一辺は円板２５２の直径方向に外側に向かって延出しており、この部分が押し込み軸２５６の端部と接する。押し込み軸２５６は、筐体２５１内部に一体成形した突起２５７及び筐体２５１の軸穴２５８を貫通し且つ移動自在に設けられ、当該突起２５７と押し込み軸２５６の係止部２５９との間にスプリング２６０を配した構成である。また、筐体２５１の表部には円板２５２のマーク２５３が見える位置に穴２６１が設けられている。なお、押し込み軸２５６を元に戻す手段は、コイルスプリング２６０のほか、板バネやスポンジなどの弾性手段を用いてもよい。
【００２７】
図１３〜図１５は、このキーホルダーの動作を示す説明図である。図１３に示すように、キーホルダー２００の施錠前の状態では、円板２５２は所定位置にあり、筐体２５１の穴２６１から見えるマーク２５３の色は、例えば白である。次に、図１４に示すように、キーホルダー２００を持って鍵Ｋの切り込み部Ｋ１をシリンダーの鍵穴に挿入すると、押し込み軸２５６がシリンダーに当り、スプリング２６０の作用で筐体２５１内に押し込まれる。これにより、押し込み軸２５６の端部が円板２５２の突起２５５に当り、円板２５２を回転させる。この回転により穴２６１から見えるマーク２５３の色が変わり、例えば赤となる。続いて、図１５に示すように、鍵Ｋをシリンダーから抜いたら、前記押し込み軸２５６がシリンダーの拘束から解放され、スプリング２６０の作用により元の位置に戻る。一方、円板２５２は回転したままであり、このため穴２６１から見えるマーク２５３は赤のままである。
【００２８】
以上、このキーホルダー２００によれば、押し込み軸２５６が押し込まれているか否かを見ることで、施錠されているかどうかを容易に確認できる。特に、外出して乗り物に乗った後とか、長時間たってからでも施錠の確認をすることができる。また、本考案のキーホルダー２００は、電池などを使用しないので、消耗費用などが掛からず、軽量で持ち運びがしやすい。
【００２９】
なお、図９及び１０に示したような保護筒６２を押し込み軸２５６の周囲に設けるようにしても良い。その場合は、図１０に示した突起物６３を併用する。
【００３０】
他の実施例
ノック軸５１又は押し込み軸２５６に、カバーを設けても良い。カバーはノック軸５１又は押し込み軸２５６の誤動作を防止するため、これらノック軸５１又は押し込み軸２５６に被さる。カバーは、筐体に取り付け、スプリングの作用で常にノック軸５１又は押し込み軸２５６をカバーしている状態とし、施錠開錠時にこのカバーを開けるようにする。ノック式の場合は施錠確認の際にカバーをあけて確認する。また、施錠開錠の際はカバーをあけた状態で行う。
【００３１】
実施例１又は２の筐体１，２５１にロック装置を設け、筐体１，２５１に設けた所定のボタンを押した状態でないと、ノック軸５１又は押し込み軸２５６が動かないようにしても良い。例えば、ボタンと筐体１，２５１内に設ける爪が連動し、この爪がノック軸５１又は押し込み軸２５６の一部に噛み合うように構成すればよい。次に、ノック式又はロータリー式ではなく、単なる押し込み軸とそれを挿入する有底の筒部とから構成し、比較的強い摩擦力が生じるほどの嵌め合い状態を持ってその軸を固定するようにしても良い。この場合、シリンダーに当った軸は鍵を差し込むときの力で押し込まれ、摩擦力を持ってその移動位置を保持する。この状態が施錠状態で、施錠の確認後に軸を引っ張り出して戻せばよい。当該構成によれば、極めて簡易に構成できる。また、筐体１，２５１にＬＥＤライトを設けても良い。また、ノック軸５１又は押し込み軸２５６に夜光塗料を塗布するか或いはそのような材料で構成してもよい。
【図面の簡単な説明】
【００３２】
【図１】この考案の実施例１に係るキーホルダーを示す斜視図である。
【図２】筐体を展開した状態の上面図である。
【図３】筐体を展開した状態の下面図である。
【図４】筐体を展開した状態の側面図である。
【図５】施錠確認機構の一例を示す構成図である。
【図６】図１のＡ−Ａ断面図である。
【図７】図１のＢ−Ｂ断面図である。
【図８】キーホルダーの動作を示す説明図である。
【図９】このキーホルダーの変形例を示す斜視図である。
【図１０】このキーホルダーの変形例を示す斜視図である。
【図１１】この考案の実施例２に係るキーホルダーを示す斜視図である。
【図１２】この考案の実施例２に係るキーホルダーを示す構成図である。
【図１３】キーホルダーの動作を示す説明図である。
【図１４】キーホルダーの動作を示す説明図である。
【図１５】キーホルダーの動作を示す説明図である。
【符号の説明】
【００３３】
１００  キーホルダー
Ｋ      鍵
Ｋ１    切込み部
Ｋ２    持ち手部
Ｃ      シリンダー
Ｃ１    鍵穴  
１      筐体
２      穴
３      筐体１の表部
４      筐体１の裏部
５      ヒンジ部
６      収納固定枠
７      両面テープ
８      突起
９      突起
１０    切欠部
１１    穴
１２    台座
５０    施錠確認機構
５１    ノック軸
５２    スリーブ
５３    軸
５４    太径部分
５５    突起
５６    移動部材
５７    スプリング
５８    山
５９    溝
６０    溝
６１    マーク
６２    保護筒
６３    突起物
２００  キーホルダー
２５０  施錠確認機構
２５１  筐体
２５２  円板
２５３  マーク
２５４  軸
２５５  突起
２５６  差込軸
２５７  当該突起
２５８  軸穴
２５９  係止部
２６０  スプリング
２６１  穴
【図１】
0003118280.tif 000003
【図２】
0003118280.tif 000004
【図３】
0003118280.tif 000005
【図４】
0003118280.tif 000006
【図５】
0003118280.tif 000007
【図６】
0003118280.tif 000008
【図７】
0003118280.tif 000009
【図８】
0003118280.tif 000010
【図９】
0003118280.tif 000011
【図１０】
0003118280.tif 000012
【図１１】
0003118280.tif 000013
【図１２】
0003118280.tif 000014
【図１３】
0003118280.tif 000015
【図１４】
0003118280.tif 000016
【図１５】
0003118280.tif 000017